(57)【要約】【課題】  ラーメン構造の架構体に形成する床の構成部材である構造用床パネルにより地震時に作用する水平力を負担することができると共に制振効果も発揮できる。水平力の作用により変形しても水平力が解除された際に自動的に元の状態に復元できる。【解決手段】  架構体１を構成する梁２間に地震時に作用する水平力を負担するための複数の構造用床パネル３を配設して各構造用床パネル３をそれぞれ梁１に固定して床４を構成する。隣接する構造用床パネル３の側面部同士を弾性を有する復元用ゴム５を介して連結する。【選択図】図１
2007332567.tif 000002
【特許請求の範囲】
【請求項１】
ラーメン構造の架構体を構成する梁間に地震時に作用する水平力を負担するための複数の構造用床パネルを配設して各構造用床パネルをそれぞれ梁に固定して床を構成し、隣接する構造用床パネルの側面部同士を弾性を有する復元用ゴムを介して連結して成ることを特徴とする制振床の構造。
【請求項２】
構造用床パネルが外周枠内に斜材を架設して構成したパネル枠上に面板を固着して構成してあることを特徴とする請求項１記載の制振床の構造。
【発明の詳細な説明】
【技術分野】
【０００１】
本発明は、地震の際にかかる水平力をラーメン架構体の建物において床を構成する複数の構造用床パネルで負担するようにした制振床の構造に関するものである。
【背景技術】
【０００２】
従来からラーメン構造の架構体の建物においては、例えば特許文献１に示されるように対向する梁間に複数の床パネルを取付けて床を構成している。そして、床パネルよりも下方位置で梁間に水平ブレースを架け渡しており、地震等の水平力が作用した際、複数の床パネルで構成される床部分では水平力を負担しないようにし、地震等の水平力は床パネルの下方位置において架け渡される水平ブレースにより負担するようにしていた。
【０００３】
ところが、上記従来例においては、床パネルの下方位置に水平ブレースを配設するものであるから、水平ブレースを必要とするという問題があるのみならず、水平ブレースの施工を必要とするため施工が面倒となり、更に、天井裏空間の懐（つまり天井裏空間の上下長さ）が長くなり（高くなり）、その分、建物の高さが高くなってコストアップの原因となり、更に、天井裏空間内に水平ブレースが存在するため、天井裏空間に配管や配線を通したり、あるいは照明器具、空調装置等を配置する際に、水平ブレースが邪魔になって配管や配線を通すことができなかったり、照明器具、空調装置等を配置できなかったり、あるいは配管、配線、照明器具、空調装置の配置位置が水平ブレースにより制約を受けたり、あるいは、天井裏空間への配管や配線を通す作業、照明器具や空調装置の配設作業がし難くなるという問題があった。
【０００４】
そこで、上記の従来例を解決するものとして、外周枠の上面に構造用面板を取着した構造用床パネルを梁に固定することで、構造用床パネルにより地震時に作用する水平力を負担するようにしたものが特許文献２により提案されている。
【０００５】
しかしながら、この特許文献２に示すような構造用床パネルを梁に固定して構造用床パネルにより地震時の水平力を負担するようにしたものにおいては、地震の際に構造用床パネルが変形すると、水平力が解除されても変形がそのまま残ってしまうという問題がある。
【特許文献１】特開２００１−２０７５７８号公報
【特許文献２】特開２００６−３７３６４号公報
【発明の開示】
【発明が解決しようとする課題】
【０００６】
本発明は上記の従来の問題点に鑑みて発明したものであって、ラーメン構造の架構体に形成する床の構成部材である構造用床パネルにより地震時に作用する水平力を負担することができると共に制振効果も発揮でき、しかも、水平力の作用により構造用床パネル同士がずれても水平力が解除された際に自動的に元の状態に復元できる制振床の構造を提供することを課題とするものである。
【課題を解決するための手段】
【０００７】
上記課題を解決するために本発明に係る制振床の構造は、ラーメン構造の架構体１を構成する梁２間に地震時に作用する水平力を負担するための複数の構造用床パネル３を配設して各構造用床パネル３をそれぞれ梁１に固定して床４を構成し、隣接する構造用床パネル３の側面部同士を弾性を有する復元用ゴム５を介して連結して成ることを特徴とするものである。
【０００８】
このような構成とすることで、地震等の水平力がラーメン構造の架構体１に作用した場合、水平力を梁２に固定した複数の構造用床パネル３により負担することができ、これにより床４の下方に従来のように水平力を負担するための水平ブレースを掛け渡す必要がなく、また、隣接する構造用床パネル３の側面部同士を連結する弾性を有する復元用ゴム５により制振効果を発揮できるだけでなく、水平力の作用により隣接する構造用床パネル３同士がずれても、水平力が解除された際に復元用ゴム５により隣接する構造用床パネル３同士が元の状態に復元し、床４の変形がそのまま残ることがないようにできる。
【０００９】
また、構造用床パネル３が外周枠６内に斜材７を架設して構成したパネル枠８上に面板９を固着して構成してあることが好ましい。
【００１０】
このような構成とすることで、外周枠６に斜材７を架設するという簡単な構成で水平力を負担する構造用床パネル３を構成できる。
【発明の効果】
【００１１】
本発明は、地震等の水平力が作用した場合に、ラーメン構造の架構体に形成する床の構成部材である複数の構造用床パネルにより地震時に作用する水平力を負担することができると共に構造用床パネルの側面同士を連結する復元用ゴムにより制振効果も発揮でき、しかも、該復元用ゴムにより水平力の作用により構造用床パネル同士がずれても水平力が解除された際に自動的に元の状態に復元でき、床の変形がそのまま残ることがない。
【発明を実施するための最良の形態】
【００１２】
以下、本発明を添付図面に示す実施形態に基いて説明する。
【００１３】
金属製の柱１０間に金属製の梁２を架設してラーメン構造の架構体１を構成してある。対向する梁２間には多数の床パネルを配設して床パネルを梁２に固定することで床４を構成してある。ここで、本発明においては床４を構成するための多数の床パネルのうち、複数の床パネルを構造用床パネル３により構成してある。
【００１４】
構造用床パネル３は、図３に示すように断面コ字状をした金属枠材を平面視矩形状に枠組みした外周枠６内に平面視でく字状に金属製の斜材７を架設してパネル枠８を構成し、該パネル枠８に面板９を固着することで構成してある。この構造用床パネル３は金属製の外周枠６内に金属製の斜材７を架設して構成してあるため、地震時に作用する水平力を上記外周枠６内に架設した斜材７により負担することができるようになっている。
【００１５】
なお、図２の実施形態では面板９は木製枠９ａの上面に板材９ｂを取着すると共に木製枠９ａに囲まれた部分に断熱材９ｃを充填して構成してあるが、板材９ｂのみで面板９を構成したものであってもよい。また、面板９として構造用面板を用いた場合にはよりいっそう地震時の水平力の負担ができるものである。また、図３に示す実施形態においては矩形状をした外周枠６に中間枠１１を架設した例が示してある。
【００１６】
構造用床パネル３は図１に示すように、ラーメン構造の架構体１の対向する梁２間に少なくとも２つ以上隣接して並べて配置し、各構造用床パネル３をそれぞれ対向する梁２にボルト結合等の固着手段により固着してある。ここで、構造用床パネル３をそれぞれ対向する梁２にボルト等により直接固着してもよく、あるいは梁２に固定金具を固着して該固定金具に構造用床パネル３を固着してもよい。
【００１７】
隣接する構造用床パネル３同士は弾性を有する復元用ゴム５を介して連結してある。復元用ゴム５は図４に示すように両側に連結プレート１２が一体に固着してあり、復元用ゴム５の両側の連結プレート１２にそれぞれ外側方に向けてボルト１３が突設してあり、両側のボルト１３をそれぞれ隣接する構造用床パネル３の側面部に図２に示すようにナット１４を用いて固着してある。
【００１８】
上記のようにしてラーメン構造の架構体１を構成する梁２間に構造用床パネル３を複数架設すると共に隣接する構造用床パネル３の側面部同士を弾性を有する復元用ゴム５を介して連結してあるので、ラーメン構造の架構体１に地震のような水平力が作用した場合、梁２から構造用床パネル３に伝えられ、構造用床パネル３で地震等の水平力を負担し、更に、構造用床パネル３同士を連結する復元用ゴム５により制振するようになっている。このように床４を構成する構造用床パネル３により地震等の水平力を負担できるので、従来のように水平力を負担するために床４の下方に水平ブレースを設ける必要がなく、このように天井裏空間に水平ブレースを掛け渡す必要がないので、天井裏空間に配管、配線、照明器具や空調装置等の各種機器を配設するに当たって、水平ブレースによる制約を受けることなく自由な位置に配置でき、また、天井裏空間の懐（上下高さ）を短くすることも可能となり、この場合は建物の高さを低くできてコストダウンが可能となる。
【００１９】
しかも、地震等の水平力が作用することで構造用床パネル３同士がずれても水平力が解除された際に復元用ゴム５の復元力により自動的に元の状態に復元するようになっており、このため地震等の水平力が作用して一時的に変形が生じても、水平力の解除と同時に元の状態に戻るため、床４が変形したままの状態とならず、結果的に床４の変形が防止されることになる。
【図面の簡単な説明】
【００２０】
【図１】本発明の制振床の構造の一例を示す平面図である。
【図２】同上の図１のＸ−Ｘ線断面図である。
【図３】同上に用いる構造用床パネルのパネル枠の斜視図である。
【図４】同上に用いる復元ゴムの斜視図である。
【符号の説明】
【００２１】
１  架構体
２  梁
３  構造用床パネル
４  床
５  復元用ゴム
６  外周枠
７  斜材
８  パネル枠
９  面板
【図１】
2007332567.tif 000003
【図２】
2007332567.tif 000004
【図３】
2007332567.tif 000005
【図４】
2007332567.tif 000006